(57)【要約】【課題】  パーソナルエリアネットワークにおいても、情報機器に対するモバイル端末のアクセス情報管理を可能とする。【解決手段】  短距離無線で構成されるパーソナルエリアネットワーク（ＰＡＮ）よりなる第一のネットワーク１０４と、前記第一のネットワークに接続される１つ以上の情報機器１０２と、インターネットに通じる第二のネットワーク１０５と、前記第二のネットワーク１０５に接続されるアクセス情報管理装置１０３と、第一のネットワーク１０４と第二のネットワーク１０５との間でデータ通信を中継するモバイル端末１０１とから構成され、情報機器１０２が、モバイル端末１０１の当該情報機器１０２に対するアクセス情報を保持し、モバイル端末１０１がアクセスを要求してきた場合にアクセス情報を参照して当該アクセスの可否を判断する。【選択図】      図１
2006154956.tif 000002
【特許請求の範囲】
【請求項１】
短距離無線で構成されるパーソナルエリアネットワーク（ＰＡＮ）よりなる第一のネットワークと、前記第一のネットワークに接続される１つ以上の情報機器と、インターネットに通じる第二のネットワークと、前記第二のネットワークに接続されるアクセス情報管理装置と、前記情報機器にアクセスを要求するモバイル端末とから構成され、前記モバイル端末のアクセス情報を管理するアクセス情報管理システムであって、
前記モバイル端末は、前記第一のネットワークと前記第二のネットワークとの間でデータ通信を中継するアクセス情報中継手段を具備し、
前記情報機器は、前記モバイル端末の当該情報機器に対するアクセス情報を保持するアクセス情報蓄積手段と、当該モバイル端末がアクセスを要求してきた場合に、前記アクセス情報蓄積手段に保持されている前記アクセス情報を参照して当該アクセスの可否を判断するアクセス情報管理手段とを具備することを特徴とするアクセス情報管理システム。
【請求項２】
請求項１記載のアクセス情報管理システムであって、
前記情報機器は、当該モバイル端末が前記第一のネットワークと前記第二のネットワークとを接続している間には、当該モバイル端末を介して前記アクセス情報管理装置に前記アクセス情報を送信することを特徴とするアクセス情報管理システム。
【請求項３】
請求項１または２記載のアクセス情報管理システムであって、
前記アクセス情報管理装置は、前記情報機器からのアクセス情報要求に応じて所望のモバイル端末のアクセス情報を当該情報機器へ応答し、当該情報機器は当該アクセス情報を保持することを特徴とするアクセス情報管理システム。
【請求項４】
請求項１または２記載のアクセス情報管理システムであって、
前記アクセス情報管理装置は、定期的あるいはアクセス情報要求に応じて全ての当該モバイル端末のアクセス情報を通信可能な情報機器へ発信し、所望の情報機器は前記アクセス情報を保持することを特徴とするアクセス情報管理システム。
【請求項５】
請求項１〜４のいずれか１項に記載のアクセス情報管理システムであって、
前記情報機器は、当該モバイル端末がアクセスを要求してきた場合には、前記アクセス情報管理装置から取得したアクセス情報を参照して、当該アクセスの可否を判断することを特徴とするアクセス情報管理システム。
【請求項６】
短距離無線で構成されるパーソナルエリアネットワーク（ＰＡＮ）よりなる第一のネットワークと、前記第一のネットワークに接続される１つ以上の情報機器と、インターネットに通じる第二のネットワークと、前記第二のネットワークに接続されるアクセス情報管理装置とからなる通信ネットワーク内で、前記情報機器にアクセスを要求するモバイル端末であって、
前記第一のネットワークと前記第二のネットワークとの間でデータ通信を中継するアクセス情報中継手段を具備することを特徴とするモバイル端末。
【請求項７】
短距離無線で構成されるパーソナルエリアネットワーク（ＰＡＮ）よりなる第一のネットワークと、前記第一のネットワークに接続される１つ以上の情報機器と、インターネットに通じる第二のネットワークと、前記第二のネットワークに接続されるアクセス情報管理装置と、前記情報機器を介して前記アクセス情報管理装置にアクセスを要求するモバイル端末とからなる通信ネットワーク内で、前記モバイル端末のアクセス情報を管理するアクセス情報管理方法であって、
前記モバイル端末が、前記第一のネットワークと前記第二のネットワークとの間でデータ通信を中継し、前記情報機器が、前記モバイル端末の当該情報機器に対するアクセス情報を保持し、前記モバイル端末がアクセスを要求してきた場合に前記アクセス情報を参照して当該アクセスの可否を判断することを特徴とするアクセス情報管理方法。
【発明の詳細な説明】
【技術分野】
【０００１】
本発明は、パーソナルエリアネットワーク（ＰＡＮ）におけるモバイル端末のアクセス情報管理に関し、特に、アクセス情報の中継技術、アクセス情報の公開方法に適したアクセス情報管理システム、アクセス情報中継モバイル端末、アクセス情報管理方法に関する。
【背景技術】
【０００２】
一般に、モバイル端末のアクセス情報の管理はアクセス情報管理装置が存在することが前提である。アクセス情報管理装置は、主として外部からアクセスしてくるホストに対してアクセスの可否、提供サービスの制限、アクセス情報履歴の保存を行なう。
例えば特許文献１には、サーバに各端末を所定のカテゴリに分けて管理するデータベースを設け、サーバはアクセス要求があったときに、そのアクセス元の端末を識別する識別情報（ホスト名）を取得し、その識別情報に基づいてデータベースを検索しアクセス元の端末に対応したカテゴリを判断し、そのカテゴリに基づいてアクセス元の端末に提供すべき情報を発信する装置が記載されている。
また、特許文献２には、正規認証手続きに失敗したクライアント端末でも、ＰＡＮには接続できるように、管理者の判断、操作により一時的にＰＡＮ接続用のアドレスを割当て、アクセスポイントがそのクライアント端末に対して暗号鍵を割当てて、定期的に更新することが記載されている。
【０００３】
以下、図１１〜図１３を参照して、アクセス情報管理システムの従来例について説明する。
図１１は、従来のアクセス情報管理システムの構成を示す概略図である。
従来のアクセス情報管理システムにおいては、モバイル端末１１１および情報機器１１２が同一のローカルエリアネットワーク（ＬＡＮ）１１４に接続され、インターネット等の外部ネットワーク１１５に存在するアクセス情報管理装置１１３と情報機器１１２との通信が可能な場合に、モバイル端末１１１が情報機器１１２に接続しようとすると、情報機器１１２はアクセス情報管理装置１１３に当該モバイル端末１１１のアクセス可否や提供するサービス種別等の問い合わせを行い、問い合わせ結果に基づいてモバイル端末１１１のアクセス制御を行なうことができる。なお、情報機器１１２とアクセス情報管理装置１１３とは、ルーータ１１６を介して接続されている。
【０００４】
図１２は、従来のアクセス情報管理システムにおけるモバイル端末の機能構成を示すブロック図である。
この従来例においては、モバイル端末１１１は、ネットワーク１２３に接続されたデータ入出力部１２２と、データ入出力部１２２に接続されたリクエスト入出力部１２１とを含んで構成されている。
【０００５】
図１３は、従来のアクセス情報管理システムにおける通信方法を示すシーケンス図である。
同図に示すように、まずモバイル端末１１１は、情報機器１１２に接続するために、アクセス要求を行なう（ステップＳ１３１）。そして、情報機器１１２は、当該モバイル端末１１１のアクセス情報を取得するために、ルータ１１６を介してアクセス情報管理装置１１３に対してアクセス情報要求を行なう（ステップＳ１３２）。アクセス情報管理装置１１３は、このアクセス情報要求に対して当該モバイル端末１１１のアクセス情報をルータ１１６を介して情報機器１１２に通知することによりアクセス情報応答を行なう（ステップＳ１３３）。情報機器１１２は、アクセス情報応答（ステップＳ１３３）によって取得した当該モバイル端末１１１のアクセス情報に基づき、アクセス制御を行ないながら、モバイル端末１１１に対してアクセス応答を行なう（ステップＳ１３４）。
【特許文献１】特開２００３−０４４４８９号公報
【特許文献２】特開２００４−３０２８４６号公報
【発明の開示】
【発明が解決しようとする課題】
【０００６】
上述した従来例における上記アクセス情報管理システムと同様の構成によってパーソナルエリアネットワークにおいてアクセス情報管理を行なう場合について説明する。
図１４は、パーソナルエリアネットワークにおける従来のアクセス情報管理方法を示す概略図である。
同図に示すように、インターネット１１５に直接接続されていないパーソナルエリアネットワーク（ＰＡＮ）１１７においては、情報機器１１２にはパーソナルエリアネットワーク１１７内の通信手段しかないために、インターネット１１５に接続されたアクセス情報管理装置１１３との通信ができない。従って、モバイル端末１１１のアクセス情報をアクセス情報管理装置１１３から直接取得できないという問題がある。
本発明は、上述した事情を鑑みてなされたものであって、パーソナルエリアネットワークにおいても、情報機器に対するモバイル端末のアクセス情報管理が可能となるアクセス情報管理システム、アクセス情報中継モバイル端末、アクセス情報中継方法を提供することを目的としている。
【課題を解決するための手段】
【０００７】
上記課題を解決するために、請求項１記載のアクセス情報管理システムは、
短距離無線で構成されるパーソナルエリアネットワーク（ＰＡＮ）よりなる第一のネットワークと、前記第一のネットワークに接続される１つ以上の情報機器と、インターネットに通じる第二のネットワークと、前記第二のネットワークに接続されるアクセス情報管理装置と、前記情報機器にアクセスを要求するモバイル端末とから構成され、前記モバイル端末のアクセス情報を管理するアクセス情報管理システムであって、
前記モバイル端末は、前記第一のネットワークと前記第二のネットワークとの間でデータ通信を中継するアクセス情報中継手段を具備し、前記情報機器は、前記モバイル端末の当該情報機器に対するアクセス情報を保持するアクセス情報蓄積手段と、当該モバイル端末がアクセスを要求してきた場合に、前記アクセス情報蓄積手段に保持されている前記アクセス情報を参照して当該アクセスの可否を判断するアクセス情報管理手段とを具備することを特徴とする。このような構成によれば、情報機器に対するモバイル端末のアクセス情報を集中管理するアクセス情報管理装置と直接通信できないパーソナルエリアネットワークにおいても、情報機器が主体となってアクセス情報管理を行い、モバイル端末のアクセス制御を行なうことができる。
【０００８】
また、請求項２記載の発明は、請求項１記載のアクセス情報管理システムであって、
前記情報機器は、当該モバイル端末が前記第一のネットワークと前記第二のネットワークとを接続している間には、当該モバイル端末を介して前記アクセス情報管理装置に前記アクセス情報を送信することを特徴とする。このような構成によれば、アクセス情報管理装置はパーソナルエリアネットワークとの通信機能を持つモバイル端末を介して情報機器からモバイル端末のアクセス情報を取得することにより、その他のモバイル端末を含めた多数のモバイル端末の各情報機器に対するアクセス情報を取得することができる。
【０００９】
また、請求項３記載の発明は、請求項１または２記載のアクセス情報管理システムであって、
前記アクセス情報管理装置は、前記情報機器からのアクセス情報要求に応じて所望のモバイル端末のアクセス情報を当該情報機器へ応答し、当該情報機器は当該アクセス情報を保持することを特徴とする。このような構成によれば、アクセス情報管理装置は、その他のモバイル端末を含めた多数のモバイル端末の情報機器へのアクセス情報を保持することにより前記アクセス情報を集中管理することができる。
【００１０】
また、請求項４記載の発明は、請求項１または２記載のアクセス情報管理システムであって、
前記アクセス情報管理装置は、定期的あるいはアクセス情報要求に応じて全ての当該モバイル端末のアクセス情報を通信可能な情報機器へ発信し、所望の情報機器は前記アクセス情報を保持することを特徴とする。このような構成によれば、アクセス情報管理装置は所望のモバイル端末の情報機器へのアクセス情報を保持することより、前記アクセス情報を集中管理することができる。
【００１１】
また、請求項５記載の発明は、請求項１〜４のいずれか１項に記載のアクセス情報管理システムであって、
前記情報機器は、当該モバイル端末がアクセスを要求してきた場合には、前記アクセス情報管理装置から取得したアクセス情報を参照して、当該アクセスの可否を判断することを特徴とする。このような構成によれば、情報機器は、アクセス情報管理装置から取得したアクセス情報に基づき、モバイル端末のアクセス制御をすることができる。
【００１２】
また、請求項６記載のモバイル端末は、
短距離無線で構成されるパーソナルエリアネットワーク（ＰＡＮ）よりなる第一のネットワークと、前記第一のネットワークに接続される１つ以上の情報機器と、インターネットに通じる第二のネットワークと、前記第二のネットワークに接続されるアクセス情報管理装置と、前記情報機器を介して前記アクセス情報管理装置にアクセスを要求するモバイル端末とからなる通信ネットワーク内で、前記情報機器にアクセスを要求するモバイル端末であって、
前記第一のネットワークと前記第二のネットワークとの間でデータ通信を中継するアクセス情報中継手段を具備することを特徴とする。このような構成によれば、アクセス情報管理装置はパーソナルエリアネットワークとの通信機能を持つモバイル端末を介して情報機器からモバイル端末のアクセス情報を取得することにより、その他のモバイル端末を含めた多数のモバイル端末の各情報機器に対するアクセス情報を取得することができる。
【００１３】
また、請求項７記載のアクセス情報管理方法は、
短距離無線で構成されるパーソナルエリアネットワーク（ＰＡＮ）よりなる第一のネットワークと、前記第一のネットワークに接続される１つ以上の情報機器と、インターネットに通じる第二のネットワークと、前記第二のネットワークに接続されるアクセス情報管理装置と、前記情報機器を介して前記アクセス情報管理装置にアクセスを要求するモバイル端末とからなる通信ネットワーク内で、前記モバイル端末のアクセス情報を管理するアクセス情報管理方法であって、
前記モバイル端末が、前記第一のネットワークと前記第二のネットワークとの間でデータ通信を中継し、前記情報機器が、前記モバイル端末の当該情報機器に対するアクセス情報を保持し、前記モバイル端末がアクセスを要求してきた場合に前記アクセス情報を参照して当該アクセスの可否を判断することを特徴とする。このような構成によれば、情報機器に対するモバイル端末のアクセス情報を集中管理するアクセス情報管理装置と直接通信できないパーソナルエリアネットワークにおいても、情報機器が主体となってアクセス情報管理を行い、モバイル端末のアクセス制御を行なうことができる。
【発明の効果】
【００１４】
以上説明したように、本発明では、情報機器は自身ではインターネットへ接続する手段を持っていないため、情報機器に対するモバイル端末のアクセス情報を集中管理するアクセス情報管理装置と直接通信できないパーソナルエリアネットワークにおいても、情報機器が主体となってアクセス情報管理を行い、モバイル端末のアクセス制御を行なうことができる。
【発明を実施するための最良の形態】
【００１５】
以下、図面を参照して、本発明の実施形態に係るアクセス情報管理システムについて詳細に説明する。
図１は、本発明の実施形態に係るアクセス情報管理システムの全体構成を示すブロック図である。
同図に示すように、本発明のアクセス情報管理システムは、ユーザが所有するモバイル端末１０１と、家庭内や公共スペースにおいてモバイル端末１０１に対して各種の情報サービスを提供する情報機器１０２と、情報機器に対するモバイル端末のアクセス情報を集中管理するアクセス情報管理装置（図面上では、単に管理装置という）１０３と、モバイル端末１０１と各種情報機器１０２との間でＢｌｕｅｔｏｏｔｈ等の短距離無線通信によって形成されるパーソナルエリアネットワーク（ＰＡＮ）１０４と、モバイル端末１０１とアクセス情報管理装置１０３との間の通信を可能にするインターネット１０５とによって構成される。これら各装置は、ＣＰＵ（Ｃｅｎｔｒａｌ  Ｐｒｏｃｅｓｓｉｎｇ  Ｕｎｉｔ），記憶装置，入出力装置等のハードウェア資源と、記憶装置に記憶されたソフトフェア資源とを備えたコンピュータにより構成されている。
【００１６】
本実施形態では、情報機器１０２はインターネット１０５への接続手段がないため、インターネット１０５に接続されたアクセス情報管理装置１０３との間でモバイル端末１０１のアクセス情報を直接共有することはできないが、モバイル端末１０１が、第一のネットワークであるパーソナルエリアネットワーク１０４と、第二のネットワークであるインターネットとの間でデータ通信を中継し、情報機器１０２が、モバイル端末１０１の当該情報機器１０２に対するアクセス情報を保持し、モバイル端末１０１がアクセスを要求してきた場合にそのアクセス情報を参照して当該アクセスの可否を判断する。従って、情報機器１０２は、当該モバイル端末１０１がパーソナルエリアネットワーク（第一のネットワーク）１０４とインターネット（第二のネットワーク）１０５とを接続している間には、当該モバイル端末１０１を介してアクセス情報管理装置１０３にアクセス情報を送信し、アクセス情報管理装置１０３は、情報機器１０２からのアクセス情報要求に応じて所望のモバイル端末のアクセス情報を当該情報機器１０２へ応答することができる。
【００１７】
なお、図１には、モバイル端末１０１，情報機器１０２，パーソナルエリアネットワーク（ＰＡＮ）１０４のみを図示しているが実際には複数存在可能であることは言うまでもない。
図２は、本発明のアクセス情報管理システムのモバイル端末の機能構成を示すブロック図である。モバイル端末１０１としては、例えば携帯電話機がある。
同図に示すように、モバイル端末１０１は、第一のネットワーク１０４と構成機器間とのインターフェース装置を含む第一のデータ入出力部２０３と、第二のネットワーク１０５と構成機器間とのインターフェース装置を含む第二のデータ入出力部２０４と、ＣＰＵがプログラムを実行することにより実現されるリクエスト入出力部２０１と、アクセス情報中継部２０２とを含んで構成される。
【００１８】
リクエスト入出力部２０１は、情報機器１０２を利用する場合に当該情報機器１０２に対してアクセス要求を行なう。そして、当該情報機器１０２からのアクセス制御に従って本来機能の提供を受ける。
アクセス情報中継部２０２は、第一のデータ入出力部２０３および第二のデータ入出力部２０４を介して情報機器１０２およびアクセス情報管理装置１０３とそれぞれデータの送受信を行い、情報機器１０２とアクセス情報管理装置１０３との間のデータの送受信の中継を行なう。
【００１９】
第一のデータ入出力部２０３は、第二のネットワーク１０５や各機能部間におけるインターフェースを提供し、第一のネットワーク１０４を介して情報機器１０２とのデータの送受信や各機能部間におけるデータの入出力を行なう。
第二のデータ入出力部２０４は、第二のネットワーク１０５や各機能部間におけるインターフェースを提供し、第二のネットワーク１０５を介してアクセス情報管理装置１０３とのデータの送受信や各機能部間におけるデータの入出力を行なう。
【００２０】
図３は、本発明のアクセス情報管理システムの情報機器の機能構成を示すブロック図である。情報機器１０２としては、例えば情報家電がある。
同図に示すように、情報機器１０２は、第一のネットワーク１０４と構成機器間とのインタフェース装置を含むデータ入出力部３０５と、ＣＰＵがプログラムを実行することにより実現されるリクエスト入出力部３０１と、アクセス情報管理部３０２と、本来機能部３０４と、磁気ディスク等の記憶装置を含むアクセス情報蓄積部３０３とで構成される。
【００２１】
リクエスト入出力部３０１は、モバイル端末１０１からのアクセス要求を受け付ける。そして、アクセス情報管理装置１０３から取得した当該モバイル端末１０１のアクセス情報に基づいて当該モバイル端末１０１に対して当該情報機器１０２の本来機能に関するアクセス制御を行なう。
アクセス情報管理部３０２は、アクセスしてきたモバイル端末１０１のアクセス情報をアクセス情報管理装置１０３に要求し、提供される当該アクセス情報を取得する。また、アクセスしてきたモバイル端末１０１のアクセス情報を記憶し、当該アクセス情報をアクセス情報管理装置１０３に送信する。
【００２２】
アクセス情報蓄積部３０３には、当該情報機器１０２に対するモバイル端末１０１のアクセス情報，及びアクセス情報管理装置１０３から取得したモバイル端末１０１のアクセス情報が記憶される。
本来機能部３０４は、モバイル端末１０１に対して提供するための情報機器１０２が備える本来の機能を有する。例えば、音楽ＣＤプレイヤでは、モバイル端末１０１に対して音楽ＣＤデータの再生機能を提供する。
【００２３】
図４は、本発明のアクセス情報管理システムのアクセス情報管理装置の機能構成を示すブロック図である。
同図に示すように、アクセス情報管理装置１０３は、第二のネットワーク１０５と構成機器間とのインターフェース装置を含むデータ入出力部４０３と、ＣＰＵがプログラムを実行することより実現されるアクセス情報管理部４０１と、磁気ディスク等の記憶装置を含むアクセス情報蓄積部４０２とを備えている。
【００２４】
アクセス情報管理部４０１は、情報機器１０２から取得したモバイル端末１０１のアクセス情報を記憶する。情報機器１０２から要求のあったモバイル端末１０１のアクセス情報を当該モバイル端末１０１に提供する。
アクセス情報蓄積部４０２には、情報機器１０２から取得したモバイル端末１０１の全アクセス情報が記憶される。
データ入出力部４０３は、第二のネットワーク１０５や各機能部間におけるインターフェースを提供し、第二のネットワーク１０５を介してモバイル端末１０１とのデータの送受信や各機能部間におけるデータの入出力を行なう。
【００２５】
図５は、本発明の実施形態に係るアクセス情報管理システムにおける通信動作を示すシーケンス図である。
この通信シーケンスは、モバイル端末１０１が、パーソナルエリアネットワーク１０４に設置されている情報機器１０２の機能を利用するために、当該情報機器１０２に対してアクセス要求を行い（ステップＳ５０１）、情報機器１０２からのアクセス応答（ステップＳ５０６）によって前記機能の提供を受けるまでの通信シーケンスである。
同図に示すように、まず、モバイル端末１０１は、パーソナルエリアネットワーク１０４に接続し、利用しようとする情報機器１０２に対してアクセス要求を行なう（ステップＳ５０１）。
【００２６】
次いで、情報機器１０２は、モバイル端末１０１のアクセス要求を照会するために、まずモバイル端末１０１に対してアクセス情報要求を行なう（ステップＳ５０２）。
そして、モバイル端末１０１は、インターネット１０５に接続してインターネット１０５に接続されたアクセス情報管理装置１０３に対してアクセス情報要求を行なう（ステップＳ５０３）。
【００２７】
これに対して、アクセス情報管理装置１０３は、モバイル端末１０１に対してアクセス情報応答を行なう（ステップＳ５０４）。
モバイル端末１０１は、アクセス情報応答を受け取った後（ステップＳ５０４）、情報機器１０２に対してアクセス情報応答を送信する（ステップＳ５０５）。
最後に、情報機器１０２は、モバイル端末１０１に対するアクセス応答（ステップＳ５０６）によって情報機器１０２の提供する機能の制御を行なう。
【００２８】
アクセス情報は、例えば、図１０に示す過去のアクセス情報（後述する）とコンテンツの権利情報とを併せて利用することにより、再生回数や再生時刻に基づいた課金を行なうことができる。また、認証レベルに基づいたサービスの提供範囲を決めることもできる。
以上の手順によって、モバイル端末１０１を介したアクセス情報の中継を行なうことにより、情報機器１０２を主体としたモバイル端末１０１へのアクセス情報管理を行なうことができる。
【００２９】
次に、図６〜図８を参照して、各部の動作について説明する。
図６は、モバイル端末の動作を示すフローチャートである。
モバイル端末１０１は、起動後（ステップＳ６１）、情報機器１０２に対してアクセス要求を行い（ステップＳ６２）、情報機器１０２とアクセス情報管理装置との間のデータの中継を行なう（ステップＳ６３）。データの中継には、一方は、第一のネットワーク１０４を介して情報機器１０２とのデータの送受信を行なって（ステップＳ６４）、各機能部間においてデータを入出力する（ステップＳ６５）。他方は、第二のネットワーク１０５を介して管理装置１０３との間のデータの送受信を行なって（ステップＳ６６）各機能部間においてデータを入出力した後（ステップＳ６７）、過去のアクセス情報に基づき情報機器１０２からアクセス制御が行われる（ステップＳ６８）。
【００３０】
図７は、情報機器の動作を示すフローチャートである。
情報機器１０２は、起動後（ステップＳ７１）、モバイル端末１０１からのアクセス要求を受け付け（ステップＳ７２）、アクセス情報管理装置１０３へ送信する（ステップＳ７３）と同時に、モバイル端末１０１のアクセス制御が必要か否か判断する（ステップＳ７４）。判断の結果、アクセス制御が必要でなければ、モバイル端末１０１のアクセスを許可する（ステップＳ７８）。アクセス制御が必要である場合には、情報機器１０２は、モバイル端末１０１の過去のアクセス情報を保持しているかどうか確認し（ステップＳ７５）、保持していればアクセス情報に基づいて当該モバイル端末１０１をアクセス制御し（ステップＳ７７）、モバイル端末１０１のアクセスを許可する（ステップＳ７８）。保持していない場合には、アクセス情報管理装置１０３より当該モバイル端末１０１のアクセス情報を取得する（ステップＳ７６）。その後、アクセス情報に基づいて当該モバイル端末１０１をアクセス制御し（ステップＳ７７）、モバイル端末１０１のアクセスを許可する（ステップＳ７８）。
【００３１】
図８は、アクセス情報管理装置の動作を示すフローチャートである。
アクセス情報管理装置１０３は、起動後（ステップＳ８１）、情報機器１０２から取得したモバイル端末１０１の全アクセス情報を記憶する（ステップＳ８２）。次に、情報機器１０２が要求したモバイル端末１０１のアクセス情報を当該モバイル端末１０１に提供する（ステップＳ８３）。次に、第二のネットワーク１０５を介してモバイル端末１０１とのデータの送受信を行なう（ステップＳ８４）。そして、各機能部間においてデータを入出力する（ステップＳ８５）。
【００３２】
図９は、本発明の実施形態に係るアクセス情報管理装置へのアクセス情報通知の動作を示す概略図である。
この図を参照して、本発明の実施形態に係るアクセス情報管理装置におけるアクセス情報の送信方法について説明する。
図９に示すように、まず、モバイル端末Ａ１０１１がパーソナルエリアネットワーク１０４に接続し、情報機器１０２を利用して、パーソナルエリアネットワーク１０４から切断する。このとき、情報機器１０２はモバイル端末Ａ１０１１のアクセス情報１１０１（図１０に示す）を記憶する。そして、モバイル端末Ｂ１０１２がパーソナルエリアネットワーク１０４に接続し、情報機器１０２はアクセス情報管理装置１０３からモバイル端末Ｂ１０１２のアクセス情報１１０２を取得する際に、アクセス情報管理装置１０３に対してモバイル端末Ａ１０１１のアクセス情報１１０１を送信する。アクセス情報管理装置１０３は、モバイル端末Ａ１０１１のアクセス情報１１０１を記憶することにより、次回のモバイル端末Ａ１０１１のアクセス要求時にアクセス情報１１０１に基づくアクセス制御を行なうことができる。
【００３３】
図７は、アクセス情報の一例を示す図である。
同図に示すように、アクセス情報として、発生時刻，端末ＩＤ，イベント，認証レベルなどを含め、発生時刻を年月日時分秒で表示し、端末ＩＤを端末Ａ，端末Ｂなどと表示し、イベントを接続，再生：Ａ曲，切断，再生：Ｂ曲などと表示し、認証レベルをＬ1，Ｌ2などと表示することができる。
【００３４】
なお、図６〜図８のフローチャートに示す処理を実行するにあたっては、いずれも、各装置内のＲＯＭに予め格納されている制御プログラムを実行するものであるが、これに限らず、これらの手順を示したプログラムが記録された記憶媒体から、そのプログラムをＲＡＭに組み込んで実行するようにしても良い。あるいは、そのプログラムをネットワークから取得しても良い。
【００３５】
以上、本発明の実施形態について詳細に説明したが、本発明は、この実施形態に限定されず、本発明の趣旨を逸脱しない範囲で種々の変更が可能である。例えば、本発明は、パーソナルエリアネットワークにおけるアクセス情報管理システムについて説明したが、これに限定されず、パーソナルエリアネットワークに類似するネットワークにおいても適用可能である。
また、本発明の実施形態においては、第一のネットワーク１０４と第二のネットワーク１０５とを中継する端末としてモバイル端末１０１を例に挙げたが、これに限定されず、他の無線通信端末を使用して中継することもできる。
【図面の簡単な説明】
【００３６】
【図１】本発明のアクセス情報管理システムの全体構成を示すブロック図である。
【図２】本発明のアクセス情報管理システムのモバイル端末の機能構成を示すブロック図である。
【図３】本発明のアクセス情報管理システムの情報機器の機能構成を示すブロック図である。
【図４】本発明のアクセス情報管理システムのアクセス情報管理装置の機能構成を示すブロック図である。
【図５】本発明のアクセス情報管理システムの通信シーケンス図である。
【図６】モバイル端末の動作を示すフローチャートである。
【図７】情報機器の動作を示すフローチャートである。
【図８】アクセス情報管理装置の動作を示すフローチャートである。
【図９】アクセス情報管理装置へのアクセス情報通知を示す図である。
【図１０】アクセス情報例を示す図である。
【図１１】従来のアクセス情報管理システムの構成を示すブロック図である。
【図１２】従来のアクセス情報管理システムのモバイル端末の構成を示す機能ブロック図である。
【図１３】従来のアクセス情報管理システムの通信シーケンス図である。
【図１４】従来のアクセス情報管理システム（ＰＡＮ内）の構成を示すブロック図である。
【符号の説明】
【００３７】
１０１…モバイル端末、１０２…情報機器、１０３…管理装置、１０４…ＰＡＮ（第一のネットワーク）、１０５…インターネット、２０１…リクエスト入出力部、２０２…アクセス情報中継部、２０３…第一のデータ入出力部、２０４…第二のデータ入出力部、３０１…リクエスト入出力部、３０２…アクセス情報管理部、３０３…アクセス情報蓄積部、３０４…本体機能部、３０５…データ入出力部、４０１…アクセス情報管理部、４０２…アクセス情報蓄積部、４０３…データ入出力部、１０１１…モバイル端末Ａ、１０１２…モバイル端末Ｂ
【図１】
2006154956.tif 000003
【図２】
2006154956.tif 000004
【図３】
2006154956.tif 000005
【図４】
2006154956.tif 000006
【図５】
2006154956.tif 000007
【図６】
2006154956.tif 000008
【図７】
2006154956.tif 000009
【図８】
2006154956.tif 000010
【図９】
2006154956.tif 000011
【図１０】
2006154956.tif 000012
【図１１】
2006154956.tif 000013
【図１２】
2006154956.tif 000014
【図１３】
2006154956.tif 000015
【図１４】
2006154956.tif 000016